(57)【要約】【課題】ＲＦＩＤアンテナを有する携帯端末装置の情報読み取り時の操作性を向上するとともに、アンテナ性能を自在に変更することである。【解決手段】携帯端末装置１０は、金属板２３を有する本体部３と、ループコイルを有するＲＦＩＤアンテナ１６ａと、ＲＦＩＤアンテナ１６ａと金属板２３との間の距離を変更可能に本体部３とＲＦＩＤアンテナ１６ａとを接続する接続部４と、を備え、ＲＦＩＤアンテナ１６ａと金属板２３との間の距離に応じて、ＲＦＩＤアンテナ１６ａの読取可能範囲を調節できるようにした。【選択図】図３
2010128569.tif 000002
【特許請求の範囲】
【請求項１】
第１の金属板を有する本体部と、
ループコイルを有するＲＦＩＤアンテナと、
前記ＲＦＩＤアンテナと前記第１の金属板との間の距離を変更可能に前記本体部と前記ＲＦＩＤアンテナとを接続する接続部と、
を備え、
前記ＲＦＩＤアンテナと前記第１の金属板との間の距離に応じて、前記ＲＦＩＤアンテナの読取可能範囲を調節できるようにした携帯端末装置。
【請求項２】
前記接続部は、ヒンジを有し、当該ヒンジを中心として前記第１の金属板と前記ＲＦＩＤアンテナとの間の角度を変更可能である請求項１に記載の携帯端末装置。
【請求項３】
前記接続部は、前記本体部に対し前記ＲＦＩＤアンテナを平行にスライド可能なスライドレールを有する請求項１に記載の携帯端末装置。
【請求項４】
前記接続部は、前記本体部と前記ＲＦＩＤアンテナとを分離可能である請求項１から３のいずれか一項に記載の携帯端末装置。
【請求項５】
前記接続部は、前記本体部と前記ＲＦＩＤアンテナとを接続するケーブルを有する請求項１から４のいずれか一項に記載の携帯端末装置。
【請求項６】
画面表示を行う表示部を備え、
前記ＲＦＩＤアンテナは、前記表示部により表示される画面と平行な位置に移動可能である請求項１から５のいずれか一項に記載の携帯端末装置。
【請求項７】
請求項１から６のいずれか一項に記載の携帯端末装置と、
前記携帯端末装置を載置するクレードルと、を備え、
前記クレードルは、
前記携帯端末装置を載置する載置部と、
前記携帯端末装置が前記載置部に載置された状態で、前記ＲＦＩＤアンテナと所定の距離を有する第２の金属板と、を備える携帯端末システム。
【請求項８】
前記クレードルは、
前記携帯端末装置が前記載置部に載置された状態の前記ＲＦＩＤアンテナと、前記第２の導体部との距離を調整するための距離調整部を備える請求項７に記載の携帯端末システム。
【請求項９】
前記距離調整部は、前記ＲＦＩＤアンテナとの距離がそれぞれ異なるとともに前記第２の金属板がそれぞれ挿入可能な複数のスリット穴を有する請求項８に記載の携帯端末システム。
【請求項１０】
前記距離調整部は、前記第２の金属板が接続されて軸方向の移動により前記ＲＦＩＤアンテナと前記第２の金属板との間の距離が変更可能な軸部と、当該軸部の支持部と、を有する請求項８に記載の携帯端末システム。
【請求項１１】
前記距離調整部は、前記載置部の前記第２の金属板と前記ＲＦＩＤアンテナとの間に載置され、それぞれ厚さの異なる複数のスペーサを有する請求項８に記載の携帯端末システム。
【発明の詳細な説明】
【技術分野】
【０００１】
本発明は、携帯端末装置及び携帯端末システムに関する。
【背景技術】
【０００２】
従来、ＲＦＩＤ（Radio frequency Identification）アンテナを有し、このＲＦＩＤアンテナによりＩＣ（Integrated Circuit）タグ（ＲＦＩＤタグ）に記録された情報を非接触に読み取るＲＦＩＤ機能を有するハンディターミナル、ＰＤＡ（Personal Digital Assistant）等の携帯端末装置が知られている（例えば、特許文献１参照）。ＲＦＩＤタグは、例えば、生産された商品に付され、その商品の識別情報が記録される。
【０００３】
また、ＲＦＩＤアンテナを有し、このＲＦＩＤアンテナにより非接触ＩＣカード（ＲＦＩＤカード）に記録された情報の読み書きを行うリーダ／ライタ装置が知られている。非接触ＩＣカードは、例えば、電車，バス等の乗車券、電子マネーの情報の記録に用いられている。
【０００４】
ＲＦＩＤの伝送媒体方式は、電磁結合方式、電磁誘導方式等の方式が存在する。小型の携帯端末装置には、ＨＦ（High Frequency）領域（特に、１３．５６ＭＨｚ）において、電磁誘導方式のＲＦＩＤアンテナが用いられていた。電磁誘導方式では、ＲＦＩＤアンテナ及びＲＦＩＤタグ（ＲＦＩＤカード）は、それぞれループコイル型のエレメント（ループコイル）を有する。その各ループコイルが対向配置され、一方のループコイルに信号を通電することにより発生する誘導電磁界を媒体として、もう一方のループコイルに発生する交流信号により、情報が送信される。
【０００５】
また、ＲＦＩＤタグは、ＲＦＩＤアンテナから比較的遠い距離（例えば、３０ｃｍ）で情報が読み取られる。これに対し、ＲＦＩＤカードは、ＲＦＩＤアンテナから比較的近い距離（例えば、１ｃｍ）で情報が読み書きされる。
【特許文献１】特開２００７−２０８９９３号公報
【発明の開示】
【発明が解決しようとする課題】
【０００６】
携帯端末装置において、ＲＦＩＤタグと、ＲＦＩＤカードとの両方の情報を読み書き可能なＲＦＩＤ機能を搭載する要請がある。例えば、個人商店等の店舗において、店員による、入荷した商品に付されたＲＦＩＤタグを読み取る作業と、商品の精算時の電子マネーのＲＦＩＤカードを読み書きする作業と、に携帯端末装置を用いるためである。
【０００７】
しかし、従来の携帯端末装置は、その本体部に対してＲＦＩＤアンテナが固定されており、ＲＦＩＤアンテナの角度が調整できなかった。このため、ＲＦＩＤカードを近傍から読み取る場合と、ＲＦＩＤタグを遠方から読み取る場合とでは、携帯端末装置本体部に対する読み取り方向が異なるので、携帯端末装置を移動させねばならず、情報読み取りの操作性が悪くなるおそれがあった。
【０００８】
また、ＲＦＩＤタグと、ＲＦＩＤカードとでは、要求される読み取り距離が異なっていた。しかし、従来の携帯端末装置において、この携帯端末装置にＲＦＩＤアンテナが固定的に取り付けられているため、ＲＦＩＤアンテナの読取可能範囲（読取可能距離）が固定しており、ＲＦＩＤアンテナのアンテナ性能をユーザが変更することができなかった。これに関し、従来の携帯端末装置において、この携帯端末装置に固定的に取り付けられたＲＦＩＤアンテナは、携帯端末装置自体の金属部品による影響を受けるため、絶えずアンテナ性能が一定に劣化していた。
【０００９】
本発明の課題は、ＲＦＩＤアンテナを有する携帯端末装置の情報読み取り時の操作性を向上するとともに、アンテナ性能を自在に変更することである。
【課題を解決するための手段】
【００１０】
上記課題を解決するために、請求項１に記載の発明の携帯端末装置は、第１の金属板を有する本体部と、ループコイルを有するＲＦＩＤアンテナと、前記ＲＦＩＤアンテナと前記第１の金属板との間の距離を変更可能に前記本体部と前記ＲＦＩＤアンテナとを接続する接続部と、を備え、前記ＲＦＩＤアンテナと前記第１の金属板との間の距離に応じて、前記ＲＦＩＤアンテナの読取可能範囲を調節できるようにした。
【００１１】
請求項２に記載の発明は、請求項１に記載の携帯端末装置において、
前記接続部は、ヒンジを有し、当該ヒンジを中心として前記第１の金属板と前記ＲＦＩＤアンテナとの間の角度を変更可能である。
【００１２】
請求項３に記載の発明は、請求項１に記載の携帯端末装置において、
前記接続部は、前記本体部に対し前記ＲＦＩＤアンテナを平行にスライド可能なスライドレールを有する。
【００１３】
請求項４に記載の発明は、請求項１から３のいずれか一項に記載の携帯端末装置において、
前記接続部は、前記本体部と前記ＲＦＩＤアンテナとを分離可能である。
【００１４】
請求項５に記載の発明は、請求項１から４のいずれか一項に記載の携帯端末装置において、
前記接続部は、前記本体部と前記ＲＦＩＤアンテナとを接続するケーブルを有する。
【００１５】
請求項６に記載の発明は、請求項１から５のいずれか一項に記載の携帯端末装置において、
画面表示を行う表示部を備え、
前記ＲＦＩＤアンテナは、前記表示部により表示される画面と平行な位置に移動可能である。
【００１６】
請求項７に記載の発明の携帯端末システムは、請求項１から６のいずれか一項に記載の携帯端末装置と、前記携帯端末装置を載置するクレードルと、を備え、前記クレードルは、前記携帯端末装置を載置する載置部と、  前記携帯端末装置が前記載置部に載置された状態で、前記ＲＦＩＤアンテナと所定の距離を有する第２の金属板と、を備える。
【００１７】
請求項８に記載の発明は、請求項７に記載の携帯端末システムにおいて、
前記クレードルは、前記携帯端末装置が前記載置部に載置された状態の前記ＲＦＩＤアンテナと、前記第２の導体部との距離を調整するための距離調整部を備える。
【００１８】
請求項９に記載の発明は、請求項８に記載の携帯端末システムにおいて、
前記距離調整部は、前記ＲＦＩＤアンテナとの距離がそれぞれ異なるとともに前記第２の金属板がそれぞれ挿入可能な複数のスリット穴を有する。
【００１９】
請求項１０に記載の発明は、請求項８に記載の携帯端末システムにおいて、
前記距離調整部は、前記第２の金属板が接続されて軸方向の移動により前記ＲＦＩＤアンテナと前記第２の金属板との間の距離が変更可能な軸部と、当該軸部の支持部と、を有する。
【００２０】
請求項１１に記載の発明は、請求項８に記載の携帯端末システムにおいて、
前記距離調整部は、前記載置部の前記第２の金属板と前記ＲＦＩＤアンテナとの間に載置され、それぞれ厚さの異なる複数のスペーサを有する。
【発明の効果】
【００２１】
本発明によれば、第１の金属板とＲＦＩＤアンテナとの距離を変更するよう本体部に対するＲＦＩＤアンテナの位置を変更できるので、ＲＦＩＤアンテナを有する携帯端末装置の情報読み取り時の操作性を向上でき、アンテナ性能を自在に変更できる。
【発明を実施するための最良の形態】
【００２２】
以下、添付図面を参照して本発明に係る好適な実施の形態及びその第１〜第６の変形例を順に詳細に説明する。なお、本発明は、図示例に限定されるものではない。
【００２３】
図１〜図１２を参照して本発明に係る実施の形態を説明する。先ず、図１〜図６を参照して本実施の形態の装置構成を説明する。図１（ａ）に、携帯端末装置１０の正面の外観を示す。図１（ｂ）に、携帯端末装置１０の側面の外観を示す。図１（ｃ）に、携帯端末装置１０の背面の外観を示す。
【００２４】
本実施の形態の携帯端末装置１０は、スーパーマーケット，コンビニエンスストア，個人商店等の店舗で使用されるハンディターミナルである。携帯端末装置１０は、各種情報の入力及び記憶機能と、ＲＦＩＤタグの情報読み取り機能と、ＲＦＩＤカードの情報読み書き機能と、レジ端末、売上管理サーバ等の機器と無線通信を行う機能と、クレードルを介して機器と有線通信を行う機能と、商品に付されたバーコードの情報を読み取るバーコード読み取り機能と、を有する。しかし、携帯端末装置１０は、ハンディターミナルに限定されるものではなく、少なくともＲＦＩＤタグ及びＲＦＩＤカード読み取り機能を有する携帯端末装置であればよい。また、携帯端末装置１０は、店舗使用以外の他の用途で使用されるものとしてもよい。
【００２５】
図１（ａ）に示すように、携帯端末装置１０は、樹脂製等の略直方体のケース２で覆われた本体部３を備える。本体部３は、正面に、表示部１４、キー入力部１２ａを備え、側面にトリガキー１２ｂを備える。図１（ｂ）、（ｃ）に示すように、携帯端末装置１０は、本体部３の背面側にＲＦＩＤアンテナ１６ａと、接続部４と、を備える。本体部３は、先端にスキャナ部１９を有する。
【００２６】
接続部４は、本体部３とＲＦＩＤアンテナ１６ａとの接続部である。表示部１４は、ＬＣＤ（Liquid Crystal Display）、ＥＬＤ（Electro Luminescent Display）等の表示部であり、各種画面を表示する。キー入力部１２ａは、各種機能キー、文字・数字入力キー、カーソルキー等を有し、ユーザによる各キー押下により、各種機能の決定、文字・数字、移動等の入力を受け付ける。トリガキー１２ｂは、スキャナ部１９によるバーコードの読み取りのトリガ入力を受け付ける。スキャナ部１９は、発光し、その光がバーコードで反射された反射光を受光して、バーコードの情報を読み取る。ＲＦＩＤアンテナ１６ａは、ＲＦＩＤタグの情報読み取りとＲＦＩＤカードの情報の読み書きとを行うための平面形状のアンテナである。
【００２７】
図２に、携帯端末装置１０のＲＦＩＤアンテナ１６ａの透視状態を示す。図２に示すように、ＲＦＩＤアンテナ１６ａは、ケース１６１と、ケース１６１内部に設けられたループコイル１６２と、を備える。ＲＦＩＤアンテナ１６ａは、ケース１６１と、ケース１６１内部に設けられたループコイル１６２と、を備える。ケース１６１は、ケース２と同様に樹脂製等である。ループコイル１６２は、銅等の金属により形成されている。
【００２８】
図３（ａ）に、ＲＦＩＤアンテナ１６ａの可動範囲が示された携帯端末装置１０を示す。図３（ｂ）に、携帯端末装置１０の側面の透視構成を示す。図３（ａ）に示すように、ＲＦＩＤアンテナ１６ａは、本体部３に対し、接続部４を回転軸として回転可能である。ＲＦＩＤアンテナ１６ａにおいて、本体部３の背面とＲＦＩＤアンテナ１６ａの平面との間の角度を、０〜９０°の範囲で変更可能である。
【００２９】
ここで、携帯端末装置１０において、本体部３の背面とＲＦＩＤアンテナ１６ａの平面との間の角度が約０°の場合に、ＲＦＩＤアンテナ１６ａが折り畳まれた状態とする。同様に、本体部３の背面とＲＦＩＤアンテナ１６ａの平面との間の角度が約９０°の場合に、ＲＦＩＤアンテナ１６ａが広げられた状態とする。また、携帯端末装置１０は、本体部３に、後述するクレードル３０と電気的接続を行うための電極からなる端子部２０ａを備える。
【００３０】
図３（ｂ）に示すように、本体部３は、内部に金属板２３を備える。金属板２３は、アルミニウム等の金属を材料とし、本体部３の背面とＲＦＩＤアンテナ１６ａの平面との間の角度が約０°の状態で、ＲＦＩＤアンテナ１６ａの平面と略平行となる位置に配置されている。
【００３１】
図４に、ＲＦＩＤアンテナ１６ａを本体部３から取り外した状態を示す。図４に示すように、接続部４は、本体部３からＲＦＩＤアンテナ１６ａを取り外し可能な構造を有する。接続部４は、ＲＦＩＤアンテナ１６ａ側に設けられたヒンジ４１、ピンコネクタ４２と、本体部３側に設けられたフック４３、接点４４と、を備える。
【００３２】
ヒンジ４１は、ケース１６１と同様に樹脂製の軸部である。ピンコネクタ４２は、突起状の電極の端子である。フック４３は、ケース２と同様に樹脂製であり、ヒンジ４１を取り外し可能に引っ掛けて回転可能である。接点４４は、ピンコネクタ４２と電気的に接続可能な接点である。
【００３３】
次いで、図５を参照して、本実施の形態の携帯端末システム１を説明する。図５に、携帯端末システム１の斜視構成を示す。図５に示すように、携帯端末システム１は、携帯端末装置１０と、クレードル３０と、を備える。携帯端末システム１は、携帯端末装置１０と、クレードル３０と、を備える。
【００３４】
クレードル３０は、携帯端末装置１０が載置され、その載置された携帯端末装置１０に対し、電力供給及び情報通信を行う。クレードル３０は、載置部３１と、スリット部３３と、金属板３４と、を備える。載置部３１は、ＲＦＩＤアンテナ１６ａが広げられた状態の携帯端末装置１０の載置部である。載置部３１は、ＲＦＩＤアンテナ１６ａが載置されるアンテナ載置部３２を有する。
【００３５】
スリット部３３は、複数のスリット穴を有する。各スリット穴は、金属板３４が挿入可能である。各スリット穴は、アンテナ載置部３２の平面と、挿入された金属板３４の平面とが平行となるよう配置されている。また、各スリット穴は、アンテナ載置部３２の平面との距離が互いに異になるよう配置されている。金属板３４は、アルミニウム等の金属を材料とし、また、ＲＦＩＤアンテナ１６ａの平面部と同程度の面積を有する。
【００３６】
次いで、図６を参照して、携帯端末装置１０の機能構成を説明する。図６に、携帯端末装置１０の機能構成を示す。図６に示すように、携帯端末装置１０は、ＣＰＵ（Central Processing Unit）１１と、操作部１２と、ＲＡＭ（Random Access Memory）１３と、表示部１４と、ＲＯＭ（Read Only Memory）１５と、リーダ／ライタ部１６と、フラッシュメモリ１７と、通信部１８と、スキャナ部１９と、Ｉ／Ｆ（InterFace）部２０と、を備え、各部がバス２２を介して接続されている。また、携帯端末装置１０は、電源部２１を備える。
【００３７】
ＣＰＵ１１は、携帯端末装置１０の各部を中央制御する。ＣＰＵ１１は、ＲＯＭ１５に記憶されているシステムプログラム及び各種アプリケーションプログラムの中から指定されたプログラムをＲＡＭ１３に展開し、ＲＡＭ１３に展開されたプログラムとの協働で、各種処理を実行する。
【００３８】
ＣＰＵ１１は、各種プログラムとの協働により、操作部１２を介する操作情報の入力を受け付け、ＲＯＭ１５から各種情報を読み出し、フラッシュメモリ１７に各種情報の読み書きを行い、通信部１８を介して外部機器と無線通信を行い、スキャナ部１９によりバーコードのデータを読み取り、Ｉ／Ｆ２０を介して、クレードル３０に接続された外部機器と有線通信を行う。
【００３９】
操作部１２は、キー入力部１２ａ、トリガキー１２ｂ、電源キー等の各種キーを備え、ユーザからの操作入力を受付けて操作信号を取得し、その操作信号をＣＰＵ１１に出力する。また、操作部１２は、表示部１４と一体的に、タッチパネルとして構成されることとしてもよい。
【００４０】
ＲＡＭ１３は、情報を一時的に格納する揮発性のメモリであり、実行される各種プログラムやこれら各種プログラムに係るデータ等を格納するワークエリアを有する。表示部１４は、ＬＣＤ、ＥＬＤ等で構成され、ＣＰＵ１１からの表示信号に従って各種画面表示を行う。ＲＯＭ１５は、各種プログラム、各種データが予め読み出し専用に記憶されている記憶部である。
【００４１】
リーダ／ライタ部１６は、ＲＦＩＤアンテナ１６ａを有し、ＣＰＵ１１の指示に従い、ＲＦＩＤアンテナ１６ａを介してＲＦＩＤタグの情報を読み取り、ＲＦＩＤカードの情報を読み書きする。より具体的には、リーダ／ライタ部１６は、ＲＦＩＤタグ又はＲＦＩＤカードがＲＦＩＤアンテナ１６ａの読取可能範囲に配置された状態で、ＣＰＵ１１から入力された送信信号を変調してＲＦＩＤアンテナ１６ａのループコイル１６２に入力する。すると、ループコイル１６２から発生する電磁界を介して、ＲＦＩＤタグ又はＲＦＩＤカード内のループコイルに電流が発生し、その電気信号が復調され符号化されることにより、ＲＦＩＤタグ又はＲＦＩＤカード側で情報が受信される。そして、ＲＦＩＤタグ又はＲＦＩＤカード内のメモリの情報読み出し又は情報書き込みが行われる。また、ＲＦＩＤタグ又はＲＦＩＤカードから、メモリから読み出した情報等の送信情報の信号に応じてループコイルに発生する電磁界を介して、ループコイル１６２に電流が流れ、リーダ／ライタ部１６によりその電気信号が変調され符号化されることにより、リーダ／ライタ部１６側で情報が受信される。
【００４２】
フラッシュメモリ１７は、各種データ等の情報が読み出し及び書き込み可能な記憶部である。通信部１８は、無線アンテナ１８ａを有し、アクセスポイント等を介して、売上管理サーバ等の機器と無線通信を行う。通信部１８は、ＣＰＵ１１の指示により、送信信号を変調して無線アンテナ１８ａに出力し、無線アンテナ１８ａで受信された受信信号を復調してその復調信号をＣＰＵ１１に出力する。
【００４３】
スキャナ部１９は、レーザ光等の発光部、受光部、ゲイン回路、二値化回路等を備える。スキャナ部１９において、発光部から出射された光がバーコードに照射され、その反射光が受光部により受光されて電気信号に変換され、その電気信号がゲイン回路により増幅され、二値化回路により白黒のバーコードイメージのデータに変換される。このように、スキャナ部１９は、バーコードイメージを読み取り、そのバーコードイメージのデータをＣＰＵ１１に出力する。
【００４４】
Ｉ／Ｆ２０は、端子部２０ａの通信端子を有し、端子部２０ａの通信端子を介してクレードル３０に接続され、クレードル３０に接続された機器との通信を行う。端子部２０ａの通信端子は、クレードル３０の通信端子（図示略）に接続される。電源部２１は、端子部２０ａの電源端子を有し、端子部２０ａの電源端子を介してクレードル３０に接続され、クレードル３０から供給された電源電力を携帯端末装置１０の各部に電源供給する。端子部２０ａの電源端子は、クレードル３０の電源端子（図示略）に接続される。電源部２１は、２次電池を含み、クレードル３０に接続されている場合に、２次電池への充電がなされるとともに携帯端末装置１０の各部に電源供給を行い、クレードル３０に接続されていない場合に、２次電池が携帯端末装置１０の各部に電源供給を行う。
【００４５】
次に、図７及び図８を参照して、携帯端末装置１０における情報読み取り形態を説明する。図７に、ＲＦＩＤカードＣの情報読み取りにおける携帯端末装置１０の第１の読み取り形態を示す。図８に、ＲＦＩＤタグＴの情報読み取りにおける携帯端末装置１０の第２の読み取り形態を示す。
【００４６】
図７に示すように、比較的読み取り距離が短い（１ｃｍ以下）ＲＦＩＤカードＣの情報を読み取る場合に、携帯端末装置１０は、本体部３にＲＦＩＤアンテナ１６ａを折り畳んだ形態（本体部３の背面とＲＦＩＤアンテナ１６ａの平面との間の角度が約０°）にされる。この形態を第１の読み取り形態とする。第１の読み取り形態で、ユーザは、ＲＦＩＤアンテナ１６ａの平面に、略平行な位置にＲＦＩＤカードＣを配置する。この状態で、携帯端末装置１０は、ＲＦＩＤアンテナ１６ａを介してＲＦＩＤカードＣに記録された情報を読み取る。第１の読み取り形態において、携帯端末装置１０の読取可能距離は、ＲＦＩＤアンテナ１６ａと金属板２３との間の距離に対応している。
【００４７】
図８に示すように、比較的読み取り距離が長い（数十ｃｍ）ＲＦＩＤタグＴの情報を読み取る場合に、携帯端末装置１０は、本体部３に対してＲＦＩＤアンテナ１６ａが広げられた状態（本体部３の背面とＲＦＩＤアンテナ１６ａの平面との間の角度が約９０°）にされる。この形態を第２の読み取り形態とする。第２の読み取り形態で、ユーザは、ＲＦＩＤアンテナ１６ａの平面から所定距離離れた位置に、ＲＦＩＤタグＴを配置する。この状態では、携帯端末装置１０の先端方向にＲＦＩＤアンテナ１６ａの指向性が向くので、ユーザが携帯端末装置１０を手で持った場合の操作性が向上している。また、この状態で、携帯端末装置１０は、ＲＦＩＤアンテナ１６ａを介してＲＦＩＤタグＴに記録された情報を読み取る。第２の読み取り形態において、携帯端末装置１０の読取可能距離は、ＲＦＩＤアンテナ１６ａと金属板２３との間の距離に対応している。
【００４８】
図５に示すように、携帯端末装置１０を据え置いてＲＦＩＤカードＣ等の情報を読み取る場合に、携帯端末装置１０は、クレードル３０に載置される。このとき、本体部３に対してＲＦＩＤアンテナ１６ａが広げられた状態（本体部３の背面とＲＦＩＤアンテナ１６ａの平面との間の角度が約９０°）にされている。この形態を第３の読み取り形態とする。第３の読み取り形態は、例えば、店舗におけるレジ横で、顧客のＲＦＩＤカードＣを読み取る場合にとられる形態である。第３の読み取り形態で、ユーザは、ＲＦＩＤアンテナ１６ａの平面の近傍又はその平面に接触する位置にＲＦＩＤカードＣ等を配置する。この状態では、携帯端末システム１が、据え置きカードリーダとして機能し、適切な操作性が確保される。また、この状態で、携帯端末装置１０は、ＲＦＩＤアンテナ１６ａを介してＲＦＩＤカードＣに記録された情報を読み取る。第３の読み取り形態において、携帯端末装置１０の読取可能距離は、ＲＦＩＤアンテナ１６ａと金属板３４との間の距離に対応する。
【００４９】
次に、図９〜図１２を参照して、ＲＦＩＤアンテナ１６ａによる情報読み取りの原理を説明する。図９に、金属板Ｍ及びループコイル１６２により発生する逆相の磁界Ｂ及び渦電流ｉを示す。図１０に、金属板Ｍ、ループコイル１６２、ループコイル１６２の鏡像における磁界と、金属板Ｍからの距離に対応する磁界の大きさとを示す。図１１（ａ）に、ＲＦＩＤアンテナ１６ａを折り畳んだ携帯端末装置１０における読取可能範囲を示す。図１１（ｂ）に、ＲＦＩＤアンテナ１６ａを広げた携帯端末装置１０における読取可能範囲を示す。図１２（ａ）に、クレードル３０に載置された携帯端末装置１０における金属板３４が近い状態での読取可能範囲を示す。図１２（ｂ）に、クレードル３０に載置された携帯端末装置１０における金属板３４が遠い状態での読取可能範囲を示す。
【００５０】
図９に示すように、金属板Ｍと、金属板Ｍから垂直方向に距離Ｈ（Ｈ：任意の距離）離れたＲＦＩＤアンテナ１６ａのループコイル１６２と、を考える。ループコイル１６２に電流が流されると、磁界が発生する。すると、この磁界の変化に応じた電磁誘導により金属板Ｍに渦電流ｉが発生する。この渦電流ｉにより、前記磁界と逆位相の磁界Ｂ２が発生する。
【００５１】
図１０に示すように、金属板Ｍと、金属板Ｍから垂直方向に距離Ｈ離れたループコイル１６２と、を考える。図１０上、ループコイル１６２から直接発生する磁界Ｂ１が点線によって表されている。また、ループコイル１６２と反対側に、金属板Ｍから垂直方向に距離Ｈ離れた位置に、ループコイル１６２の見かけ上の鏡像１６ｍが存在する。鏡像１６ｍから発生する磁界Ｂ２は、金属板Ｍの渦電流ｉにより空中に放射される逆位相の磁界となっている。図１０上、磁界Ｂ２は、実線によって表されている。
【００５２】
図１０において、金属板Ｍからループコイル１６２への方向の距離に対する、金属板Ｍ及びループコイル１６２から発生する磁界の大きさの関係が示されている。金属板Ｍの位置を基準位置０とすると、距離が３Ｈの位置で、磁界の大きさが急激に減少していることが分かる。なぜなら、逆位相の磁界Ｂ２は、電界Ｂ１を打ち消す作用を有するが、金属板Ｍとループコイル１６２との距離が２Ｈ以上で大きく作用するからである。この作用により、ＲＦＩＤカード等の読み取り距離を距離ｄ（ｄ：所定の距離）とする構成は、ＲＦＩＤカード等の読み取り側に対し、ループコイル１６２からｄ／２の距離を離れた反対側に金属板Ｍを設けることで実現できる。
【００５３】
図１１（ａ）に示すように、ＲＦＩＤアンテナ１６ａを折り畳んだ携帯端末装置１０では、本体部３内の金属板２３により、ＲＦＩＤアンテナ１６ａと金属板２３との間の距離Ｈの２倍の距離２Ｈまでの範囲が、ＲＦＩＤカードＣ等の読取可能範囲となる。図１１（ｂ）に示すように、ＲＦＩＤアンテナ１６ａを広げた携帯端末装置１０では、本体部３内の金属板２３に渦電流が流れず、ＲＦＩＤアンテナ１６ａから発生する電磁界が、逆位相の影響を受けなくなり、アンテナ性能を全て使うことができ、遠方までの範囲が、ＲＦＩＤカードＣ等の読取可能範囲となる。
【００５４】
図１２（ａ）に示すように、クレードル３０に載置された携帯端末装置１０における金属板３４が近い状態での読取可能範囲は、クレードル３０内の金属板３４により、ＲＦＩＤアンテナ１６ａと金属板３４との間の距離Ｈの２倍の距離２Ｈまでの範囲が、ＲＦＩＤカードＣ等の読取可能範囲となる。また、スリット部３３の各スリット穴へ金属板３４を差し替えすることにより、ＲＦＩＤアンテナ１６ａと金属板３４との間の距離Ｈを変更できる。
【００５５】
図１２（ｂ）に示すように、クレードル３０に載置された携帯端末装置１０における金属板３４が距離Ｈよりも遠い状態での読取可能範囲は、クレードル３０内の金属板３４により、ＲＦＩＤアンテナ１６ａと金属板３４との間の距離Ｈ１の２倍の距離２Ｈ１までの範囲が、ＲＦＩＤカードＣ等の読取可能範囲となる。このように、スリット部３３の金属板３４の位置をユーザが自由に変更できる構造であるので、ユーザが求める読み取り距離を自由に設定することが可能となる。ここで、顧客の商品精算時のＲＦＩＤカードを読み取るために、店舗のレジ端末の横に、携帯端末装置１０をクレードル３０に載置した携帯端末システム１を設置する第３の読み取り形態を考える。顧客が読み取りを意図せずに携帯端末システム１に少し近づけたＲＦＩＤカードを誤って読み取らないためには、例えば、図１２（ａ）に示すようにＲＦＩＤアンテナ１６ａと金属板３４との間の距離Ｈを小さくするように、店員がスリット部３３の距離Ｈが小さいスリット孔に金属板２３を差し入れて調整する。
【００５６】
以上、本実施の形態によれば、携帯端末装置１０において、金属板２３とＲＦＩＤアンテナ１６ａとの間の距離を変更するよう接続部４により本体部３に対するＲＦＩＤアンテナ１６ａの位置を変更できる。このため、ＲＦＩＤアンテナ１６ａを有する携帯端末装置１０の情報読み取りの操作性を向上でき、ＲＦＩＤアンテナ１６ａのアンテナ性能を自在に変更できる。
【００５７】
また、携帯端末装置１０は、ヒンジ４１等からなる接続部４を備える。このため、接続部４のヒンジ４１を軸中心として、本体部３の背面とＲＦＩＤアンテナ１６ａの平面との間の角度を自在に変更でき、その角度が約０度の第１の読み取り形態で、ＲＦＩＤカードＣの情報を容易に読み取ることができ、その角度が約９０度の第２の読み取り形態で、ＲＦＩＤタグＴの情報を容易に読み取ることができる。
【００５８】
また、携帯端末装置１０は、接続部４により、本体部３からＲＦＩＤアンテナ１６ａを取り外し可能な構造を有する。このため、携帯端末装置１０の落下時等に、接続部４により本体部３とＲＦＩＤアンテナ１６ａとが分離し、携帯端末装置１０（接続部４）が破壊されることを防ぐことができる。
【００５９】
また、携帯端末システム１は、スリット部３３を有するクレードル３０を備える。このため、携帯端末装置１０がクレードル３０に載置された第３の読み取り形態で、ＲＦＩＤカードＣ等の情報を容易に読み取ることができ、スリット部３３の各スリット穴に金属板３４を差し替えることができ、クレードル３０に載置された携帯端末装置１０のＲＦＩＤアンテナ１６ａのアンテナ性能を自在に変更できる。
【００６０】
（第１の変形例）
図１３を参照して、上記実施の形態の第１の変形例を説明する。図１３に、本変形例の携帯端末システム１Ａの断面構成を示す。本変形例の携帯端末システム１Ａは、携帯端末システム１でクレードル３０をクレードル３０Ａに変更したものである。
【００６１】
図１３に示すように、クレードル３０Ａは、アンテナ載置部３２を含む載置部３１と、金属板３４ａと、ガイド３５と、ネジ部３６ａを有する軸部３６と、ハンドル３７と、支持部３８と、を備える。金属板３４ａは、軸部３６に接続されている。ネジ部３６ａは、雄ネジである。また、支持部３８は、クレードル３０Ａにおいて固定されており、軸部３６を可動に支持する。ガイド３５は、４本有り、支持部３８に対する位置が変更される軸部３６をガイドする。支持部３８は、ガイド３５用の貫通孔と、軸部３６のネジ部３６ａ用の雌ネジ孔とを有する。軸部３６は、軸方向がアンテナ載置部３２の平面に直角な方向に設けられている。ネジ部３６ａと雌ネジ孔とは、螺合している。ハンドル３７は、ユーザによる回転操作により軸部３６を回転する。
【００６２】
ユーザによるハンドル３７の回転操作による軸部３６の回転により、金属板３４ａは、その平面をアンテナ載置部３２の平面に平行にしつつ前後に移動される。このように、軸部３６、ハンドル３７、支持部３８により、アンテナ載置部３２に載置されたＲＦＩＤアンテナ１６ａと、金属板３４ａとの間の距離を変更して、ＲＦＩＤアンテナ１６ａの読取可能範囲を変更できる。
【００６３】
以上、本変形例によれば、携帯端末システム１Ａは、ガイド３５、軸部３６、ハンドル３７、支持部３８等を有するクレードル３０Ａを備える。このため、ハンドル３７の回転操作による軸部３６の軸方向の運動により、金属板３４ａの位置を変えることで、クレードル３０Ａに載置された携帯端末装置１０のＲＦＩＤアンテナ１６ａのアンテナ性能を自在に変更できる。
【００６４】
なお、クレードル３０Ａの構成に限定されるものではない。例えば、クレードル３０Ａにおいて、軸部３６がネジ部３６ａを有せず支持部３８の貫通穴で支持され、ユーザが軸部３６を軸方向に動かすことにより、金属板３４ａの位置を移動させる構成としてもよい。
【００６５】
（第２の変形例）
図１４を参照して、上記実施の形態の第２の変形例を説明する。図１４に、本変形例の携帯端末システム１Ｂの断面構成を示す。本変形例の携帯端末システム１Ｂは、携帯端末システム１でクレードル３０をクレードル３０Ｂに変更したものである。
【００６６】
図１４に示すように、クレードル３０Ｂは、載置部３１と、金属板３４ｂと、スペーサ３９ａ，３９ｂとを備える。載置部３１は、アンテナ載置部３２ａを含む。スペーサ３９ａ，３９ｂは、それぞれ異なる厚さを有する樹脂性等の板である。スペーサ３９ａが、スペーサ３９ｂに比べて薄いものとする。アンテナ載置部３２ａは、スペーサ３９ａ又は３９ｂが載置された状態で、さらに、広げられたＲＦＩＤアンテナ１６ａが載置される。金属板３４ｂは、その平面部が、アンテナ載置部３２ａの平面と平行且つ所定距離を空けて固定されている。
【００６７】
クレードル３０Ｂに載置される、ＲＦＩＤアンテナ１６ａを広げた状態の携帯端末装置１０について、スペーサ３９ａを載置する状態と、スペーサ３９ｂを載置する状態とをユーザが変更することにより、ＲＦＩＤアンテナ１６ａと金属板３４ｂとの間の距離を変更して、ＲＦＩＤアンテナ１６ａの読取可能範囲を変更できる。
【００６８】
以上、本変形例によれば、携帯端末システム１Ｂは、スペーサ３９Ａａ，３９ｂを有するクレードル３０Ｂを備える。このため、アンテナ載置部３２ａに載置するスペーサ３９ａ，３９ｂを交換して、広げた状態のＲＦＩＤアンテナ１６ａと金属板３４との間の距離を変えることで、クレードル３０Ａに載置された携帯端末装置１０のＲＦＩＤアンテナ１６ａのアンテナ性能を自在に変更できる。
【００６９】
（第３の変形例）
図１５〜図１７を参照して、上記実施の形態の第３の変形例を説明する。図１５に、本変形例の携帯端末装置１０Ａの外観を示す。図１６（ａ）に、本変形例の携帯端末装置１０Ｂの正面の外観を示す。図１６（ｂ）に、携帯端末装置１０Ｂの上面の外観を示す。図１７（ａ）に、本変形例の携帯端末システム１Ｃの構成を示す。図１７（ｂ）に、本変形例の携帯端末システム１Ｄの構成を示す。
【００７０】
本変形例の携帯端末装置１０Ａは、携帯端末装置１０のＲＦＩＤアンテナ１６ａをＲＦＩＤアンテナ１６ｂに変更したものである。図１５に示すように、携帯端末装置１０Ａは、本体部３と、本体部３の背面に設けられたＲＦＩＤアンテナ１６ｂと、接続部４ａと、を備える。接続部４ａは、接続部４と同様に、ヒンジ、フック等により構成される。接続部４ａは、本体部３の背面とＲＦＩＤアンテナ１６ｂの平面との間の先端方向への角度を０°〜１８０°に変更可能な構成を有する。
【００７１】
本変形例の携帯端末装置１０Ａは、ＲＦＩＤアンテナ１６ｂを広げた状態（ＲＦＩＤアンテナ１６ｂの平面と本体部３の背面との間の角度が約１８０°）にされる。この状態で、店員が、表示部１４の表示画面を上にして携帯端末装置１０Ａを持ち、顧客にその画面を見せつつ、ＲＦＩＤアンテナ１６ｂに顧客のＲＦＩＤカードを載せてもらうような対面業務が可能となる。
【００７２】
本変形例の別の携帯端末装置１０Ｂは、携帯端末装置１０のＲＦＩＤアンテナ１６ａをＲＦＩＤアンテナ１６ｃに変更したものである。図１６（ａ），（ｂ）に示すように、携帯端末装置１０Ｂは、本体部３と、本体部３の背面に設けられたＲＦＩＤアンテナ１６ｃと、接続部４ｂと、を備える。接続部４ｂは、接続部４と同様に、ヒンジ、フック等により構成される。接続部４ｂは、本体部３の背面とＲＦＩＤアンテナ１６ｃの平面との間の横方向（本体部３を正面から見て左右方向）への角度を０°〜１８０°に変更可能な構成を有する。
【００７３】
本変形例の携帯端末装置１０Ｂは、携帯端末装置１０Ａと同様に、ＲＦＩＤアンテナ１６ｃを広げた状態（ＲＦＩＤアンテナ１６ｃの平面と本体部３の背面との間の角度が約１８０°）にされる。この状態で、店員が、表示部１４の表示画面を上にして携帯端末装置１０Ｂを持ち、顧客にその画面を見せつつ、ＲＦＩＤアンテナ１６ｃに顧客のＲＦＩＤカードを載せてもらうような対面業務が可能となる。
【００７４】
図１７（ａ）に示すように、携帯端末システム１Ｃは、携帯端末装置１０Ａと、クレードル３０Ｃと、を備える。クレードル３０Ｃは、ＲＦＩＤアンテナ１６ｂが広げられた携帯端末装置１０Ａを載置可能であり、アンテナ載置部３２ｂと、金属板３４ｃと、を備える。アンテナ載置部３２ｂは、広げられた状態のＲＦＩＤアンテナ１６ｂが載置される。このように、携帯端末装置１０Ａをクレードル３０Ｃに載置した状態でも、表示画面を顧客に見せてＲＦＩＤカードＣをＲＦＩＤアンテナ１６ｂに乗せてもらう対面業務が可能である。また、金属板３４ｃは、距離調整部（図示略）により、金属板３４ｃの位置を変更して、ＲＦＩＤアンテナ１６ｂと金属板３４ｃとの間の距離を変更できる。
【００７５】
図１７（ｂ）に示すように、携帯端末システム１Ｄは、携帯端末装置１０Ｂと、クレードル３０Ｄと、を備える。クレードル３０Ｄは、ＲＦＩＤアンテナ１６ｃが広げられた携帯端末装置１０Ｂを載置可能であり、アンテナ載置部３２ｃと、金属板３４ｄと、を備える。アンテナ載置部３２ｃは、広げられた状態のＲＦＩＤアンテナ１６ｃが載置される。このように、携帯端末装置１０Ｂをクレードル３０Ｄに載置した状態でも、表示画面を顧客に見せてＲＦＩＤカードＣをＲＦＩＤアンテナ１６ｃに乗せてもらう対面業務が可能である。また、金属板３４ｄは、距離調整部（図示略）により、金属板３４ｄの位置を変更して、ＲＦＩＤアンテナ１６ｂと金属板３４ｄとの間の距離を変更して、ＲＦＩＤアンテナ１６ｂの読取可能範囲を変更できる。
【００７６】
以上、本変形例によれば、携帯端末システム１Ｃ，１Ｄは、携帯端末システム１と同様に、ＲＦＩＤアンテナ１６ｂ，１６ｃを有する携帯端末装置１０Ａ，１０Ｂの情報読み取りの操作性を向上でき、ＲＦＩＤアンテナ１６ｂ，１６ｃのアンテナ性能を自在に変更できる。さらに、表示部１４の画面と平行な面に、ＲＦＩＤアンテナ１６ｂ，１６ｃを配置させることができる。このため、顧客等に表示部１４の画面を見せつつ、ＲＦＩＤアンテナ１６ｂ，１６ｃにＲＦＩＤカードＣ等を載置して情報を読み書きすることができる。
【００７７】
（第４の変形例）
図１８を参照して、上記実施の形態の第４の変形例を説明する。図１８（ａ）に、本変形例のＲＦＩＤアンテナ１６ｄを折り畳んだ状態の携帯端末装置１０Ｃの外観を示す。図１８（ｂ）に、ＲＦＩＤアンテナ１６ｄを９０°広げた状態の携帯端末装置１０Ｃの外観を示す。図１８（ｃ）に、ＲＦＩＤアンテナ１６ｄを１８０°広げた状態の携帯端末装置１０Ｃの外観を示す。図１８（ｄ）に、ＲＦＩＤアンテナ１６ｄを３６０°広げた状態の携帯端末装置１０Ｃの外観を示す。
【００７８】
本変形例の携帯端末装置１０Ｃは、携帯端末装置１０のＲＦＩＤアンテナ１６ａをＲＦＩＤアンテナ１６ｄに変更したものである。図１８（ａ）に示すように、携帯端末装置１０Ａは、本体部３と、本体部３の背面に設けられたＲＦＩＤアンテナ１６ｄと、接続部４ｃと、を備える。ＲＦＩＤアンテナ１６ｄは、その平面と本体部３の背面との間の角度を０°〜３６０°に変更可能な構成を有する。
【００７９】
接続部４ｃは、本体部３とＲＦＩＤアンテナ１６ｄとを接続している。接続部４ｃは、本体部３側の軸部と、ＲＦＩＤアンテナ１６ｄ側の軸部とを有し、各軸部を中心として回転可能である。図１８（ａ）では、携帯端末装置１０Ｃは、ＲＦＩＤアンテナ１６ｄを折り畳んだ状態（本体部３の背面とＲＦＩＤアンテナ１６ｄの平面との間の角度が約０°）にされている。この状態では、本体部３内の金属板（図示略）により、ＲＦＩＤアンテナ１６ｄの読み取り範囲が比較的小さい。
【００８０】
図１８（ｂ）に示すように、携帯端末装置１０Ｃは、ＲＦＩＤアンテナ１６ｄを直角に広げた状態（本体部３の背面とＲＦＩＤアンテナ１６ｄの平面との間の角度が約９０°）にすることが可能である。この状態では、ＲＦＩＤアンテナ１６ｄに対する本体部３内の金属板（図示略）の影響が少なく、ＲＦＩＤアンテナ１６ｄの読み取り範囲が比較的大きい。また、この状態は、ＲＦＩＤアンテナ１６ｄの読取可能範囲（指向性）を先端方向にとれるので、ＲＦＩＤタグＴの情報の読み取りに適する。
【００８１】
図１８（ｃ）に示すように、携帯端末装置１０Ｃは、ＲＦＩＤアンテナ１６ｄを平面に広げた状態（本体部３の背面とＲＦＩＤアンテナ１６ｄの平面との間の角度が約１８０°）にすることが可能である。この状態では、ＲＦＩＤアンテナ１６ｄに対する本体部３内の金属板（図示略）の影響が少なく、ＲＦＩＤアンテナ１６ｄの読み取り範囲が比較的大きい。また、この状態は、ＲＦＩＤアンテナ１６ｄに読み取り対象物を乗せることができ、表示部１４が本体部３の正面にあるので、対面業務等において、顧客に画面を見せながらのＲＦＩＤカードＣの情報の読み取りに適する。
【００８２】
図１８（ｄ）に示すように、携帯端末装置１０Ｃは、ＲＦＩＤアンテナ１６ｄを正面側に折り畳んだ状態（本体部３の背面とＲＦＩＤアンテナ１６ｄの平面との間の角度が約３６０°）にすることが可能である。この状態では、ＲＦＩＤアンテナ１６ｄに対する本体部３内の金属板（図示略）により、ＲＦＩＤアンテナ１６ｄの読み取り範囲が比較的小さい。また、この状態は、ＲＦＩＤアンテナ１６ｄに読み取り対象物を乗せることができ、ＲＦＩＤカードＣの情報の読み取りに適する。
【００８３】
以上、本変形例によれば、携帯端末装置１０Ｃは、表示部１４の画面と平行な面に、ＲＦＩＤアンテナ１６ｄを配置させることができる。このため、顧客等に表示部１４の画面を見せつつ、ＲＦＩＤアンテナ１６ｄにＲＦＩＤカードＣ等を載置して情報を読み書きすることができる。
【００８４】
（第５の変形例）
図１９を参照して、上記実施の形態の第５の変形例を説明する。図１９に、本変形例の携帯端末装置１０Ｄの外観構成を示す。本変形例の携帯端末装置１０Ｄは、携帯端末装置１０にアンテナケーブル４５を加えたものである。
【００８５】
図１９に示すように、携帯端末装置１０Ｄは、本体部３と、本体部３の背面に設けられたＲＦＩＤアンテナ１６ｅと、接続部４ｄと、を備える。接続部４ｄは、ヒンジ４１、ピンコネクタ４２、フック４３、接点４４に加え、一端がピンコネクタ４２に接続され他端が接点４４に接続されている導線を含むアンテナケーブル４５を備える。
【００８６】
携帯端末装置１０Ｄは、ＲＦＩＤアンテナ１６ａをヒンジ４１によりフック４３に接続して、携帯端末装置１０と同様に使用することができる。また、携帯端末装置１０Ｄは、ヒンジ４１をフック４３から外してアンテナケーブル４５の長さの範囲でＲＦＩＤアンテナ１６ａを本体部３から離して配置することができる。このため、遠方にあるＲＦＩＤタグＴを読み取る際に、本体部３をＲＦＩＤタグＴ近傍に近づけることなく、ＲＦＩＤアンテナ１６ａのみをＲＦＩＤタグＴに近づけることができる。
【００８７】
アンテナケーブル４５は、取り外し可能な構成としたり、巻き取り用のリールを備え、そのリールにより余分なケーブル部分を巻き取る構成としてもよい。
【００８８】
以上、本変形例によれば、携帯端末装置１０Ｄは、接続部４ｄにより、本体部３からＲＦＩＤアンテナ１６ａを取り外し、アンテナケーブル４５の長さの範囲で自在にＲＦＩＤアンテナ１６ａを配置することができる。このため、ＲＦＩＤタグＴ等の遠方の読み取り対象物の情報読み取りの操作性をさらに向上できる。
【００８９】
（第６の変形例）
図２０〜図２２を参照して、上記実施の形態の第６の変形例を説明する。図２０に、本変形例の携帯端末装置１０Ｅの背面の外観を示す。図２１（ａ）に、ＲＦＩＤアンテナ１６ｅをスライドした状態での携帯端末装置１０Ｅの正面の外観を示す。図２１（ｂ）に、ＲＦＩＤアンテナ１６ｅをスライドした状態での携帯端末装置１０Ｅの背面の外観を示す。図２２（ａ）に、本変形例のＲＦＩＤアンテナ１６ｆをスライドした状態での携帯端末装置１０Ｆの正面の外観を示す。図２２（ｂ）に、ＲＦＩＤアンテナ１６ｆをスライドした状態での携帯端末装置１０Ｆの背面の外観を示す。
【００９０】
本変形例の携帯端末装置１０Ｅは、携帯端末装置１０のＲＦＩＤアンテナ１６ａをＲＦＩＤアンテナ１６ｅに変更したものである。図２０に示すように、携帯端末装置１０Ｅは、本体部３と、本体部３の背面に設けられたＲＦＩＤアンテナ１６ｅと、接続部４ｅと、を備える。接続部４ｅは、本体部３とＲＦＩＤアンテナ１６ｅとをスライド可能に接続するスライドレールを有する。ＲＦＩＤアンテナ１６ｅは、本体部３の背面の短手方向（横方向）にスライド可能な構成を有する。図２０では、携帯端末装置１０Ｅは、ＲＦＩＤアンテナ１６ｅが収納された状態となっている。
【００９１】
図２１（ａ），（ｂ）に示すように、携帯端末装置１０Ｅは、その使用時に、正面から見て右方向にＲＦＩＤアンテナ１６ｅがスライドされた状態に変更できる。スライドされた状態でも、ＲＦＩＤアンテナ１６ｅは、本体部３（リーダ／ライタ部１６）に電気的に接続されている。なお、ＲＦＩＤアンテナ１６ｆのスライド方向は、正面から見て左方向、左右両方向であってもよい。携帯端末装置１０Ｅは、ＲＦＩＤアンテナ１６ｅがスライドされた状態で、ＲＦＩＤアンテナ１６ｅが、本体部３と平行な平面として露出している。また、この状態は、ＲＦＩＤアンテナ１６ｅに読み取り対象物を乗せることができ、表示部１４の画面が本体部３の正面にあるので、対面業務等において、顧客に画面を見せながらのＲＦＩＤカードＣの情報の読み取りに適する。
【００９２】
本変形例の別の例としての携帯端末装置１０Ｆは、携帯端末装置１０のＲＦＩＤアンテナ１６ａをＲＦＩＤアンテナ１６ｆに変更したものである。図２１（ａ），（ｂ）に示すように、携帯端末装置１０Ｆは、本体部３と、本体部３の背面に設けられたＲＦＩＤアンテナ１６ｇと、接続部４ｆと、を備える。接続部４ｆは、本体部３とＲＦＩＤアンテナ１６ｆとをスライド可能に接続するスライドレールを有する。ＲＦＩＤアンテナ１６ｆは、本体部３の背面の長手方向（縦方向）にスライド可能な構成を有する。
【００９３】
携帯端末装置１０Ｆは、その使用時に、正面から見て先端方向にＲＦＩＤアンテナ１６ｆがスライドされた状態に変更できる。スライドされた状態でも、ＲＦＩＤアンテナ１６ｆは、本体部３（リーダ／ライタ部１６）に電気的に接続されている。なお、ＲＦＩＤアンテナ１６ｆのスライド方向は、正面から見て後端方向、先端後端両方向であってもよい。携帯端末装置１０Ｆは、ＲＦＩＤアンテナ１６ｆがスライドされた状態で、ＲＦＩＤアンテナ１６ｆが、本体部３と平行に露出している。また、この状態は、ＲＦＩＤアンテナ１６ｆに読み取り対象物を乗せることができ、表示部１４の画面が本体部３の正面にあるので、対面業務等において、顧客に画面を見せながらのＲＦＩＤカードＣの情報の読み取りに適する。
【００９４】
以上、本変形例によれば、携帯端末装置１０Ｅ，１０Ｆは、本体部３からＲＦＩＤアンテナ１６ｅ，１６ｆを表示部１４の画面と平行な面にスライドさせることができる。このため、顧客等に表示部１４の画面を見せつつ、ＲＦＩＤアンテナ１６ｅ，１６ｆにＲＦＩＤカードＣ等を載置して情報を読み書きすることができる。
【００９５】
なお、上記実施の形態及び各変形例における記述は、本発明に係る携帯端末装置及び携帯端末システムの一例であり、これに限定されるものではない。例えば、上記実施の形態及び上記変形例のうち少なくとも２つを組み合わせる構成としてもよい。
【００９６】
上記実施の形態及び各変形例では、携帯端末装置としてハンディターミナルを用いる構成としたが、ＰＤＡ、携帯電話機等、他の携帯端末装置としてもよい。
【００９７】
また、上記実施の形態及び各変形例における携帯端末装置及び携帯端末システムの各構成要素の細部構成及び細部動作に関しては、本発明の趣旨を逸脱することのない範囲で適宜変更可能であることは勿論である。
【図面の簡単な説明】
【００９８】
【図１】（ａ）は、本発明に係る実施の形態の携帯端末装置の外観を示す正面図である。（ｂ）は、携帯端末装置の外観を示す側面図である。（ｃ）は、携帯端末装置の外観を示す背面図である。
【図２】携帯端末装置のＲＦＩＤアンテナの透視状態を示す図である。
【図３】（ａ）は、ＲＦＩＤアンテナの可動範囲が示された携帯端末装置を示す図である。（ｂ）は、携帯端末装置の側面の透視図である。
【図４】ＲＦＩＤアンテナを本体部から取り外した状態を示す図である。
【図５】本発明に係る実施の形態の携帯端末システムの斜視図である。
【図６】携帯端末装置の機能構成を示すブロック図である。
【図７】ＲＦＩＤカードの情報読み取りにおける携帯端末装置の第１の読み取り形態を示す図である。
【図８】ＲＦＩＤタグの情報読み取りにおける携帯端末装置の第２の読み取り形態を示す図である。
【図９】金属板及びループコイルにより発生する逆相の磁界及び渦電流を示す図である。
【図１０】金属板、ループコイル、ループコイルの鏡像における磁界と、金属板からの距離に対応する磁界の大きさとを示す。
【図１１】（ａ）は、ＲＦＩＤアンテナを折り畳んだ携帯端末装置における読取可能範囲を示す図である。（ｂ）は、ＲＦＩＤアンテナを広げた携帯端末装置における読取可能範囲を示す図である。
【図１２】（ａ）は、クレードルに載置された携帯端末装置における金属板が近い状態での読取可能範囲を示す図である。（ｂ）は、クレードルに載置された携帯端末装置における金属板が遠い状態での読取可能範囲を示す図である。
【図１３】第１の変形例の携帯端末システムの構成を示す一部断面図である。
【図１４】第２の変形例の携帯端末システムの構成を示す一部断面図である。
【図１５】第３の変形例の携帯端末装置の外観を示す斜視図である。
【図１６】（ａ）は、第３の変形例の別の携帯端末装置の外観を示す正面図である。（ｂ）は、別の携帯端末装置の外観を示す上面図である。
【図１７】（ａ）は、第３の変形例の携帯端末システムの構成を示す図である。（ｂ）は、第３の変形例の別の携帯端末システムの構成を示す図である。
【図１８】（ａ）は、第４変形例のＲＦＩＤアンテナを折り畳んだ状態の携帯端末装置の外観を示す斜視図である。（ｂ）は、ＲＦＩＤアンテナを９０°広げた状態の携帯端末装置の外観を示す斜視図である。（ｃ）は、ＲＦＩＤアンテナを１８０°広げた状態の携帯端末装置の外観を示す斜視図である。（ｄ）は、ＲＦＩＤアンテナを３６０°広げた状態の携帯端末装置の外観を示す斜視図である。
【図１９】第５の変形例の携帯端末装置の外観を示す斜視図である。
【図２０】第６の変形例の携帯端末装置の外観を示す背面図である。
【図２１】（ａ）は、ＲＦＩＤアンテナをスライドした状態での携帯端末装置の外観を示す正面図である。（ｂ）は、ＲＦＩＤアンテナをスライドした状態での携帯端末装置の外観を示す背面図である。
【図２２】（ａ）は、第６の変形例の別のＲＦＩＤアンテナをスライドした状態での携帯端末装置の外観を示す正面図である。（ｂ）は、ＲＦＩＤアンテナをスライドした状態での別の携帯端末装置の外観を示す背面図である。
【符号の説明】
【００９９】
１，１Ａ，１Ｂ，１Ｃ，１Ｄ  携帯端末システム
１０，１０Ａ，１０Ｂ，１０Ｃ，１０Ｄ，１０Ｅ，１０Ｆ  携帯端末装置
２  ケース
３  本体部
１１  ＣＰＵ
１２  操作部
１２ａ  キー入力部
１２ｂ  トリガキー
１３  ＲＡＭ
１４  表示部
１５  ＲＯＭ
１６  リーダ／ライタ部
１６ａ，１６ｂ，１６ｃ，１６ｄ，１６ｅ，１６ｆ  ＲＦＩＤアンテナ
１６１  ケース
１６２  ループコイル
１７  フラッシュメモリ
１８  通信部
１９  スキャナ部
２０  Ｉ／Ｆ部
２０ａ  端子部
２１  電源部
２２  バス
２３  金属板
４，４ａ，４ｂ，４ｃ，４ｄ，４ｅ，４ｆ  接続部
４１  ヒンジ
４２  ピンコネクタ
４３  フック
４４  接点
４５  アンテナケーブル
３０，３０Ａ，３０Ｂ，３０Ｃ，３０Ｄ  クレードル
３１  載置部
３２，３２ａ，３２ｂ，３２ｃ  アンテナ載置部
３３  スリット部
３４，３４ａ，３４ｂ，３４ｃ，３４ｄ  金属板
３５  ガイド
３６  軸部
３６ａ  ネジ部
３７  ハンドル
３８  支持部
３９ａ，３９ｂ  スペーサ
ＲＦＩＤカード  Ｃ
ＲＦＩＤタグ  Ｔ
【図１】
2010128569.tif 000003
【図２】
2010128569.tif 000004
【図３】
2010128569.tif 000005
【図４】
2010128569.tif 000006
【図５】
2010128569.tif 000007
【図６】
2010128569.tif 000008
【図７】
2010128569.tif 000009
【図８】
2010128569.tif 000010
【図９】
2010128569.tif 000011
【図１０】
2010128569.tif 000012
【図１１】
2010128569.tif 000013
【図１２】
2010128569.tif 000014
【図１３】
2010128569.tif 000015
【図１４】
2010128569.tif 000016
【図１５】
2010128569.tif 000017
【図１６】
2010128569.tif 000018
【図１７】
2010128569.tif 000019
【図１８】
2010128569.tif 000020
【図１９】
2010128569.tif 000021
【図２０】
2010128569.tif 000022
【図２１】
2010128569.tif 000023
【図２２】
2010128569.tif 000024